(57)【要約】【課題】訴求効果を向上しつつ、広告を配信するために余計な情報の配信を抑制できる携帯端末を提供すること。【解決手段】情報処理装置との通信機能を備えた携帯端末１０であって、広告主に指定された文字と、文字に対応するとともに広告主に関連する広告情報６０と、を記憶する広告情報記憶手段と、広告情報記憶手段から、ユーザに入力された文字に対応する広告情報６０を変換候補５０として表示する表示手段とを備える。【選択図】図４
2011210002.tif 000002
【特許請求の範囲】
【請求項１】
情報処理装置との通信機能を備えた携帯端末であって、
広告主に指定された文字と、前記文字に対応するとともに前記広告主に関連する広告情報と、を記憶する広告情報記憶手段と、
前記広告情報記憶手段から、ユーザに入力された文字に対応する前記広告情報を変換候補として表示する表示手段と、
を備えることを特徴とする携帯端末。
【請求項２】
前記広告情報は、前記広告主に関連した画像情報を含むことを特徴とする請求項１に記載の携帯端末。
【請求項３】
単語と、前記単語の読み方を示す文字を先頭から任意の位置で区切り、前記区切った位置までの文字とを記憶する予測変換辞書記憶手段を更に備え、
前記表示手段は、
前記予測変換辞書記憶手段から、ユーザに入力された文字に対応する前記単語を変換候補として表示するとともに、前記広告情報を、前記単語よりも上位で表示することを特徴とする請求項１又は２に記載の携帯端末。
【請求項４】
前記表示手段は、
１つの文字に対して複数の広告情報が、対応する場合、前記広告主の入札価格の順番に基づいて、広告情報を表示することを特徴とする請求項１乃至３の何れか一項に記載の携帯端末。
【請求項５】
情報処理装置と、前記情報処理装置との通信機能を備えた携帯端末とを有する情報処理システムであって、
前記携帯端末が、
広告主に指定された文字と、前記文字に対応するとともに前記広告主に関連する広告情報と、を記憶する広告情報記憶手段と、
前記広告情報記憶手段から、ユーザに入力された文字に対応する前記広告情報を変換候補として表示する表示手段と、
を備えることを特徴とする情報処理システム。
【請求項６】
前記携帯端末が、
前記広告情報を含む文書情報を前記情報処理装置に送信する送信手段を更に備え、
前記情報処理装置が、
前記文書情報を前記携帯端末から受信する受信手段と、
前記文書情報に含まれる前記広告情報を数えるカウント手段と、
前記カウント手段のカウント結果に基づいて、前記広告主の課金情報を作成する課金手段と、
を備えることを特徴とする請求項５に記載の情報処理システム。
【請求項７】
前記情報処理装置が、
前記文書情報を前記携帯端末と異なる他の携帯端末に送信する送信手段を更に備え、
前記他の携帯端末が、
前記情報処理装置から前記文書情報を受信する受信手段と、
前記文書情報に含まれる前記広告情報を前記広告主のサイト情報とともに表示する広告表示手段と、
を備える請求項５又は請求項６に記載の情報処理システム。
【請求項８】
情報処理装置と通信をする携帯端末における文字の変換候補の表示方法であって、
コンピュータが、広告主に指定された文字と、前記文字に対応するとともに前記広告主に関連する広告情報と、を広告情報記憶手段に記憶するステップと、
コンピュータが、前記広告情報記憶手段から、ユーザに入力された文字に対応する前記広告情報を変換候補として表示するステップと、
を備えることを特徴とする表示方法。
【請求項９】
ユーザに入力された文字に対応する変換候補を表示するプログラムであって、
広告主に指定された文字と、前記文字に対応するとともに前記広告主に関連する広告情報と、を広告情報記憶手段に記憶するステップと、
前記広告情報記憶手段から、ユーザに入力された文字に対応する前記広告情報を変換候補として表示するステップと、
をコンピュータに実行させることを特徴とするプログラム。
【請求項１０】
請求項９に記載のプログラムを配信する情報処理装置。
【発明の詳細な説明】
【技術分野】
【０００１】
本発明は、情報処理装置との通信機能を備えた携帯端末に広告を表示する技術に関する。
【背景技術】
【０００２】
従来、携帯電話、スマートフォン等の携帯端末に対して、広告を配信する情報処理装置が広く知られている。
【０００３】
例えば、ユーザが通話や、メール送信などをした際に、ユーザの位置情報、ユーザの個人情報等に基づいて、対応する広告を携帯端末に配信する情報処理装置が知られている（例えば、特許文献１参照）。
【０００４】
このような情報処理装置は、広告に記載されたクーポンを利用したユーザに対して、携帯端末の利用料金の減額を行うなどして、広告の利用を促進できる。
【先行技術文献】
【特許文献】
【０００５】
【特許文献１】特開２０１０−３９８９８号公報
【発明の概要】
【発明が解決しようとする課題】
【０００６】
しかしながら、上述した従来の情報処理装置には、次のような問題があった。すなわち、上述した情報処理装置は、通話や、メール送信後、すなわち、メール送信とは異なるタイミングで広告を配信するため、ユーザが、広告を見る頻度が少なく、訴求効果が十分ではないという問題と、携帯端末における広告の表示に必要以上の通信を発生させるという問題がある。また、広告主に対しては、広告配信に掛かる費用対効果が低いと感じさせるおそれがある。
【０００７】
そこで、本発明は、このような状況に鑑みてなされたものであり、訴求効果を向上しつつ、広告の表示に必要以上の通信を発生させることを抑制できる携帯端末、情報処理システム、表示方法、プログラム、及び情報処理装置を提供することを目的とする。
【課題を解決するための手段】
【０００８】
上述した問題を解決するため、本発明は、次のような特徴を有している。まず、本発明の第１の特徴は、情報処理装置との通信機能を備えた携帯端末であって、広告主に指定された文字と、前記文字に対応するとともに前記広告主に関連する広告情報と、を記憶する広告情報記憶手段と、前記広告情報記憶手段から、ユーザに入力された文字に対応する前記広告情報を変換候補として表示する表示手段と、を備えることを要旨とする。
【０００９】
このような携帯端末は、広告主に指定された文字とそれに対応する広告情報とを記憶する広告情報記憶手段と、ユーザに入力された文字に対応する広告情報を変換候補として表示する表示手段とを備えるため、ユーザが単語を入力する際に、ユーザの入力に応じて、広告情報を変換候補として表示する。すなわち、ユーザは、単語を入力する際に必ず広告情報を見るため、訴求効果を向上できる。また、ユーザにより作成された単語を含む文書情報（メール等）が、他の携帯端末に送信された場合、文書情報を受信した他の携帯端末のユーザは、受信した文書情報を見ることで、広告情報を見ることとなる。すなわち、文書情報を受信した他の携帯端末のユーザは、広告情報を意識することなく、文書情報を受信するのみで、広告情報を見ることとなる。
【００１０】
従って、訴求効果を向上しつつ、広告を配信するために余計な情報の配信を抑制できる携帯端末を提供することができる。
【００１１】
本発明の第２の特徴は、本発明の第１の特徴に係り、前記広告情報は、前記広告主に関連した画像情報を含むことを要旨とする。
【００１２】
本発明の第３の特徴は、本発明の第１又は第２の特徴に係り、単語と、前記単語の読み方を示す文字を先頭から任意の位置で区切り、前記区切った位置までの文字とを記憶する予測変換辞書記憶手段を更に備え、前記表示手段は、前記予測変換辞書記憶手段から、ユーザに入力された文字に対応する前記単語を変換候補として表示するとともに、前記広告情報を、前記単語よりも上位で表示することを要旨とする。
【００１３】
本発明の第４の特徴は、本発明の第１乃至第３の特徴に係り、前記表示手段は、１つの文字に対して複数の広告情報が、対応する場合、前記広告主の入札価格の順番に基づいて、広告情報を表示することを要旨とする。
【００１４】
本発明の第５の特徴は、情報処理装置と、前記情報処理装置との通信機能を備えた携帯端末とを有する情報処理システムであって、前記携帯端末が、広告主に指定された文字と、前記文字に対応するとともに前記広告主に関連する広告情報と、を記憶する広告情報記憶手段と、前記広告情報記憶手段から、ユーザに入力された文字に対応する前記広告情報を変換候補として表示する表示手段と、を備えることを要旨とする。
【００１５】
本発明の第６の特徴は、本発明の第５の特徴に係り、前記携帯端末が、前記広告情報を含む文書情報を前記情報処理装置に送信する送信手段を更に備え、前記情報処理装置が、
前記文書情報を前記携帯端末から受信する受信手段と、前記文書情報に含まれる前記広告情報を数えるカウント手段と、前記カウント手段のカウント結果に基づいて、前記広告主の課金情報を作成する課金手段と、を備えることを要旨とする。
【００１６】
本発明の第７の特徴は、本発明の第５及び第６の特徴に係り、前記情報処理装置が、前記文書情報を前記携帯端末と異なる他の携帯端末に送信する送信手段を更に備え、前記他の携帯端末が、前記情報処理装置から前記文書情報を受信する受信手段と、前記文書情報に含まれる前記広告情報を前記広告主のサイト情報とともに表示する広告表示手段と、を備えることを要旨とする。
【００１７】
本発明の第８の特徴は、情報処理装置と通信をする携帯端末における文字の変換候補の表示方法であって、コンピュータが、広告主に指定された文字と、前記文字に対応するとともに前記広告主に関連する広告情報と、を広告情報記憶手段に記憶するステップと、コンピュータが、前記広告情報記憶手段から、ユーザに入力された文字に対応する前記広告情報を変換候補として表示するステップと、を備えることを要旨とする。
【００１８】
本発明の第９の特徴は、ユーザに入力された文字に対応する変換候補を表示するプログラムであって、広告主に指定された文字と、前記文字に対応するとともに前記広告主に関連する広告情報と、を広告情報記憶手段に記憶するステップと、前記広告情報記憶手段から、ユーザに入力された文字に対応する前記広告情報を変換候補として表示するステップと、をコンピュータに実行させることを要旨とする。
【００１９】
本発明の第１０の特徴は、本発明の第９の特徴に係るプログラムを配信する情報処理装置であることを要旨とする。
【発明の効果】
【００２０】
本発明によれば、訴求効果を向上しつつ、広告を配信するために余計な情報の配信を抑制できる携帯端末、抽出方法、プログラム、及び情報処理装置を提供できる。
【図面の簡単な説明】
【００２１】
【図１】本発明の実施形態に係る情報処理システム１の全体概略構成図である。
【図２】本発明の実施形態に係る携帯端末１０の機能ブロック図である。
【図３】本発明の実施形態に係る携帯端末１０の広告情報ＤＢ１５に記憶される情報の一例を示す図である。
【図４】本発明の実施形態に係る携帯端末１０の表示部１９により表示される画面の一例を示す図である。
【図５】本発明の実施形態に係る携帯端末１０の広告表示部２５により表示される画面の一例を示す図である。
【図６】本発明の実施形態に係る情報処理装置１００の機能ブロック図である。
【図７】本発明の実施形態に係る情報処理装置１００の広告情報登録ＤＢ１０５に記憶される情報の一例を示す図である。
【図８】本発明の実施形態に係る情報処理装置１００の課金ＤＢ１０７に記憶される情報の一例を示す図である。
【図９】本発明の実施形態に係る情報処理システム１の全体概略動作を示すシーケンスである。
【図１０】本発明の実施形態に係る携帯端末１０によるメール３００の作成動作を示すフローチャートである。
【図１１】本発明の実施形態に係る情報処理装置１００の広告情報６０の更新動作を示すシーケンス図である。
【発明を実施するための形態】
【００２２】
次に、図面を参照して、本発明の実施形態について説明する。
【００２３】
なお、以下の図面の記載において、同一または類似の部分には、同一または類似の符号を付している。また、図面は模式的なものであり、各寸法の比率などは現実のものとは異なる。
【００２４】
したがって、具体的な寸法などは以下の説明を参酌して判断すればよく、図面相互間においても互いの寸法の関係や比率が異なる部分が含まれている。
【００２５】
以下の実施形態においては、（１）情報処理システム１の全体構成、（２）携帯端末１０の詳細構成、（３）情報処理装置の詳細構成、（４）情報処理システム１の動作、（５）作用・効果、及び（６）その他の実施形態について説明する。
【００２６】
（１）情報処理システム１の全体構成
図１は、本実施形態に係る情報処理システム１の全体概略構成図である。
【００２７】
図１に示す情報処理システム１は、携帯端末１０、携帯端末３０、情報処理装置１００、広告主端末２００を含む。情報処理システム１では、携帯端末１０、携帯端末３０、情報処理装置１００、広告主端末２００が、通信ネットワーク４０（例えば、インターネットなど）を介して接続され、互いにデータ通信可能となっている。
【００２８】
以下の実施形態では、「ヤホー」という車メーカーが、広告主として出稿し、これに伴い、携帯端末１０が、「ヤホー」の広告情報を表示することを具体例として記載する。なお、広告主とは、企業に限らず、いわゆるアフリエイト等の一般のユーザなども含め、広告情報に対して、入札を行う個人、団体を示す。
【００２９】
携帯端末１０及び携帯端末３０は、同様の機能を有している。以下の記載においては、主に携帯端末１０について、記載し、携帯端末３０の詳細の記載を適宜省略する。
【００３０】
情報処理装置１００及び広告主端末２００は、ＣＰＵ等の制御装置、メモリやＨＤＤ等の記憶装置、通信ネットワークと通信する通信Ｉ／Ｆ等の通信装置といったハードウェア資源を有するコンピュータ（単一或いは複数）により構成される。情報処理装置１００及び広告主端末２００が備える下記の各ブロックは、前述したコンピュータの制御装置等のハードウェア資源を用いてコンピュータプログラムを実行することによって実現されるものである。なお、これらの各ブロック、手段は、単一のコンピュータ上に配置される必要はなく、必要に応じて分散される構成を採用しても良い。また、情報処理装置１００及び広告主端末２００は、一般的なブラウザを備える。ブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。広告主端末２００は、広告主の所有する端末であり、情報処理システム１に対する広告情報の登録を行う。
【００３１】
図１に示すように、本実施形態では、情報処理システム１において、情報処理装置１００が、携帯端末１０により作成されたメール３００を受信し、携帯端末３０にメール４００を送信する。次に、情報処理装置１００は、メール３００に含まれる広告情報を数え、広告主端末２００に広告情報に基づいた課金情報を送信する。また、情報処理装置１００は、広告主端末２００からのリクエストに基づいて、広告情報を新たに登録し、更新した広告情報を携帯端末１０に送信する。なお、各動作の詳細については、（４）情報処理システム１の動作にて、後述する。
【００３２】
（２）携帯端末１０の詳細構成
図２は、本実施形態に係る携帯端末１０の機能ブロック図である。
【００３３】
携帯端末１０は、いわゆる携帯通信端末装置（携帯電話機やスマートフォン）であるが、これに限定されず、ユーザが使用するＰＣ（Ｐｅｒｓｏｎａｌ  Ｃｏｍｐｕｔｅｒ）やカーナビゲーションシステム等でもよい。
【００３４】
携帯端末１０は、情報処理装置１００との通信機能を備える。具体的には、携帯端末１０は、無線通信、無線ＬＡＮ、近傍無線通信（（Ｂｌｕｅｔｏｏｔｈ（登録商標））や赤外線通信等）、或いは有線通信（ＵＳＢ（Ｕｎｉｖｅｒｓａｌ  Ｓｅｒｉａｌ  Ｂｕｓ）ケーブル接続等）によって、通信ネットワーク４０を介して情報処理装置１００に接続されている。携帯端末１０は、情報処理装置１００が有するハードウェア資源に加えて、キーボタンやタッチパネル、マイク等の入力装置、液晶ディスプレイ、スピーカ等の出力装置を備える。
【００３５】
携帯端末１０は、ユーザによるテキストの入力を予測し、変換候補を表示する。
【００３６】
図２に示すように、携帯端末１０は、受付部１１、変換部１３、広告情報ＤＢ１５、予測変換辞書記憶部１７、表示部１９、送信部２１、受信部２３、広告表示部２５を備える。
これらの機能部は、いわゆるコンピュータにより構成され、演算／制御装置としてのＣＰＵ（Central  Processing  Unit）、記憶媒体としてのＲＡＭ（Random  Access  Memory）及びＲＯＭ（Read  Only  Memory）、通信インターフェイス等が関連することで実現される。以下、各機能部について、説明する。
【００３７】
（２．１）受付部１１
受付部１１は、ユーザのキー操作に対応するキー入力情報を受信する。具体的には、受付部１１は、キーボード、タッチパネル等の操作に伴って、ユーザにより入力されたキー入力情報を取得する。例えば、受付部１１は、「や」又は「Ｙ」などのキー入力情報を取得する。
【００３８】
（２．２）変換部１３
図３は、本実施形態に係る携帯端末１０の広告情報ＤＢ１５に記憶される情報の一例を示す図である。
【００３９】
変換部１３は、受付部１１により取得されたキー入力情報に基づいて、変換候補を広告情報ＤＢ１５及び予測変換辞書記憶部１７から抽出する。具体的には、図３に示すように、変換部１３は、広告情報ＤＢ１５から、キー入力情報に対応する入力ワード６５を抽出し、入力ワード６５に対応する広告情報６０を変換候補として抽出する。例えば、変換部１３は、広告情報ＤＢ１５から、キー入力情報である「や」に対応する、広告情報６０として「（絵文字）ヤホー」を変換候補として抽出する。
【００４０】
（２．３）広告情報ＤＢ１５
広告情報ＤＢ１５は、広告主に指定された文字である入力ワード６５と、入力ワード６５に対応するとともに広告主に関連する広告情報６０と、表示順位６７と、広告情報６０を識別する広告識別情報６９とを記憶する。入力ワード６５は、一文字以上の文字であり、複数の文字からなる文字列であってもよい。以下に記載の他の文字についても同様とし、文字は、一文字以上の文字であり、複数の文字からなる文字列であってもよい。
【００４１】
広告情報６０は、広告主に関連した画像からなる画像情報６１と、広告主に関連する文字からなる文字情報６３との少なくとも何れかを含む。なお、画像情報６１には、写真、イラスト等に限られず、文字を装飾してなる、いわゆるロゴ等が含まれる。
【００４２】
表示順位６７は、１つの入力ワード６５に対して、複数の広告情報６０が登録されている場合に、表示する並び方を決める数値である。例えば、１つの入力ワード６５に対して、複数の広告情報６０が登録されている場合、広告情報６０は、表示順位６７が高い順に、上位で表示される。
【００４３】
広告情報ＤＢ１５に記憶される広告情報６０、入力ワード６５及び表示順位６７は、通信ネットワーク４０を介して情報処理装置１００から送信される。すなわち、広告情報６０、入力ワード６５及び表示順位６７の対応関係は、情報処理装置１００でまとめて管理される。
【００４４】
（２．４）予測変換辞書記憶部１７
予測変換辞書記憶部１７は、単語７０と、単語７０の読み方を示す文字列を先頭から任意の位置で区切り、区切った位置までの文字列とを記憶する。例えば、予測変換辞書記憶部１７は、「山」という単語７０と、「山」の読み方である「やま」及び「やま」の先頭文字である「や」とを記憶する。
【００４５】
なお、予測変換辞書記憶部１７に記憶される単語７０は、汎用的な単語、特定の分野の単語、ユーザの操作に基づいて登録される単語等である。
【００４６】
（２．５）表示部１９
図４は、本実施形態に係る携帯端末１０の表示部１９により表示される画面の一例を示す図である。
【００４７】
表示部１９は、携帯端末１０の作成メール表示領域１９ａに、ユーザに入力された文字を表示する。例えば、図４に示すように、表示部１９は、作成メール表示領域１９ａに「や」を表示する。
【００４８】
また、表示部１９は、携帯端末１０の変換表示領域１９ｂに変換候補５０を表示する。具体的には、表示部１９は、広告情報ＤＢ１５から、ユーザに入力された文字に対応する広告情報６０を変換候補５０として表示する。また、表示部１９は、予測変換辞書記憶部１７から、ユーザに入力された文字に対応する単語７０を変換候補５０として表示する。
【００４９】
表示部１９は、広告情報６０を、予測変換辞書記憶部１７に基づいて予測された単語７０よりも上位で表示する。例えば、表示部１９は、変換表示領域１９ｂに広告情報６０ａとして、「（絵文字）ヤホー」を単語７０である「山」、「やっと」、「やっぱり」、「約束」、「矢」、「屋」よりも上位で表示する。
【００５０】
表示部１９は、１つの入力ワード６５に対して複数の広告情報６０が対応する場合、広告主の入札価格の順番に基づいて、広告情報６０を表示する。具体的には、表示部１９は、１つの入力ワード６５に対して複数の広告情報６０が対応する場合、広告主の入札価格の順番に対応する表示順位６７に基づいて、広告情報６０を表示する。例えば、表示部１９は、表示順位６７が、広告情報６０ｂの「ヤホー工業」よりも上位である広告情報６０ａの「（絵文字）ヤホー」を上位で表示する。
【００５１】
（２．６）送信部２１
送信部２１は、広告情報６０を含む文書情報を情報処理装置１００に送信する。具体的には、送信部２１は、広告情報６０を含むメール３００を情報処理装置１００に送信する。なお、メール３００に含まれる広告情報６０には、広告識別情報６９が付与されていてもよい。
【００５２】
（２．７）受信部２３
受信部２３は、情報処理装置１００から広告情報６０を含む文書情報を受信する。具体的には、受信部２３は、情報処理装置１００から広告情報６０を含むメール４００を受信する。
また、受信部２３は、通信ネットワーク４０を介して、情報処理装置１００から、広告情報ＤＢ１５に登録される広告情報６０、入力ワード６５、表示順位６７を含む登録情報を受信する。
【００５３】
（２．８）広告表示部２５
図５は、本実施形態に係る携帯端末３０の広告表示部２５により表示される画面の一例を示す図である。
【００５４】
図５に示すように、広告表示部２５は、受信メール表示領域２５ａを介して、受信部２３で受信したメール４００に含まれる広告情報６０を広告主のサイト情報とともに表示する。例えば、広告表示部２５は、広告主のサイト情報として、ＵＲＬ、ＵＲＬのタイトル名等を表示する。
【００５５】
なお、メール４００は、情報処理装置１００により作成され、携帯端末３０等に対して送信されるメールである。メール４００には、広告情報６０が含まれる。
【００５６】
（３）情報処理装置の詳細構成
図６は、本実施形態に係る情報処理装置１００の機能ブロック図である。
【００５７】
図６に示すように、情報処理装置１００は、受信部１０１、カウント部１０３、広告情報登録ＤＢ１０５、課金ＤＢ１０７、メール作成部１０９、課金部１１１、送信部１１３、広告情報ＤＢ作成部１１５を備える。
【００５８】
これらの機能部は、いわゆるコンピュータにより構成され、演算／制御装置としてのＣＰＵ（Central  Processing  Unit）、記憶媒体としてのＲＡＭ（Random  Access  Memory）及びＲＯＭ（Read  Only  Memory）、通信インターフェイス等が関連することで実現される。以下、各機能部について、説明する。
【００５９】
（３．１）受信部１０１
受信部１０１は、文書情報を携帯端末１０から受信する。具体的には、受信部１０１は、通信ネットワーク４０を介して、広告情報６０を含むメール３００を携帯端末１０の送信部から受信する。
【００６０】
（３．２）カウント部１０３
カウント部１０３は、文書情報に含まれる広告情報６０を数える。具体的には、カウント部１０３は、メール３００に含まれる広告情報６０をカウントする。なお、カウント部１０３は、メール作成部１０９により作成されるメール４００に含まれる広告情報６０をカウントしてもよい。また、カウント部１０３は、メール４００が送信される宛先の数に応じて、カウントされる広告情報６０の数を乗じてもよい。すなわち、カウント部１０３は、広告情報６０が送信されるメール４００の数に基づいて、カウントする。
【００６１】
広告情報６０が、広告識別情報６９を含む場合、カウント部１０３は、広告情報６０に付与される広告識別情報６９を識別することで、広告情報６０をカウントしてもよい。同様にして、広告情報６０が、画像情報６１を含む場合、カウント部１０３は、画像情報６１に付与されるコードを識別することで、広告情報６０をカウントしてもよい。
【００６２】
（３．３）広告情報登録ＤＢ１０５
図7は、本実施形態に係る情報処理装置１００の広告情報登録ＤＢ１０５に記憶される情報の一例を示す図である。
【００６３】
図７に示すように、広告情報登録ＤＢ１０５は、入力ワード６５、広告情報６０、表示順位６７、広告識別情報６９を少なくとも記憶する。また、広告情報登録ＤＢ１０５は、これに加えて、広告主ＩＤ、入札価格、ＵＲＬ、サイト名等を記憶する。
【００６４】
具体的には、入力ワード６５は、広告主端末２００からのリクエストに基づいて登録される文字である。また、広告情報６０は、入力ワード６５に対応するとともに、広告主に関連する情報である。広告情報６０は、入力ワード６５と同様に、広告主端末２００からのリクエストに基づいて、登録される。広告情報６０は、画像情報６１と、文字情報６３との少なくとも何れかを含む。
【００６５】
表示順位６７は、入力ワード６５が同一である場合に、携帯端末１０で表示する並び方を決める数値である。表示順位６７は、１つの文字に対する入札価格に基づいて、決定される。表示順位６７は、入札価格に基づいて、決定されるだけでなく、例えば、ユーザにより広告情報６０が選択された場合に広告主から支払われる単価に応じて決定されてもよい。すなわち、表示順位６７は、入札価格に基づいて設定された後に、広告主から支払われる単価に基づいて、入れ替えられてもよい。また、表示順位６７は、広告情報６０の単価のみでなく、ユーザからの選択率、選択回数に基づいて、入れ替えられてもよい。
【００６６】
入札価格は、入力ワード６５に対して、広告主（広告主ＩＤ）より支払われる価格である。広告主ＩＤは、広告情報６０に対して、出稿した広告主を識別する情報である。ＵＲＬは、広告情報６０に対応するＵＲＬであり、広告情報６０が選択された場合に表示するサイトのＵＲＬである。サイト名は、ＵＲＬのタイトルである。
【００６７】
なお、入力ワード６５は、1文字だけに限定されることなく、２文字以上からなる文字列により構成されていてもよい。例えば、入力ワード６５は、「くるま」に設定された場合、広告情報登録ＤＢ１０５は、「くるま」に対応する、広告情報６０として「（絵文字）ヤホー」を記録してもよい。また、入力ワード６５は、ひら仮名でなく、漢字、英数字等であってもよい。
【００６８】
（３．４）課金ＤＢ１０７
図８は、本実施形態に係る情報処理装置１００の課金ＤＢ１０７に記憶される情報の一例を示す図である。
【００６９】
課金ＤＢ１０７は、広告情報６０と、広告情報６０の広告主を識別する広告主ＩＤと、広告情報６０の使用頻度とを記憶する。使用頻度は、カウント部１０３により、カウントされた広告情報６０の数である。
【００７０】
（３．５）メール作成部１０９
メール作成部１０９は、受信部１０１が受信したメール３００に基づいて、メール４００を作成する。具体的には、メール作成部１０９は、メール３００に含まれる広告情報６０に基づいて、広告情報登録ＤＢ１０５から広告情報６０に対応するＵＲＬを含むメール４００を作成する。例えば、メール作成部１０９は、広告情報６０に対応するＵＲＬを広告情報６０のハイパーリンクとして含むＨＴＭＬ形式からなるメール４００を作成する。なお、メール３００が、テキスト形式からなるメールである場合、メール作成１０９は、テキスト形式のメール３００をＨＴＭＬ形式からなるメールに変換してもよい。メール作成部１０９は、ＵＲＬだけでなく、広告情報登録ＤＢ１０５に含まれるサイト名等を含むメール４００を作成してもよい。
【００７１】
（３．６）課金部１１１
課金部１１１は、カウント部１０３のカウント結果に基づいて、広告主の課金情報を作成する。具体的には、課金部１１１は、課金ＤＢ１０７の広告情報６０と、広告情報６０に対応する使用頻度とにより構成される課金情報を作成する。また、課金部１１１は、課金ＤＢ１０７の広告主ＩＤに基づいて、広告主ＩＤ毎の課金情報を作成する。
【００７２】
（３．７）送信部１１３
送信部１１３は、広告情報６０を含む文書情報を携帯端末１０と異なる他の携帯端末に送信する。具体的には、送信部１１３は、広告情報６０を含むメール３００を携帯端末１０と異なる携帯端末３０に送信する。
【００７３】
また、送信部１１３は、課金部１１１により作成された課金情報を広告主に送信する。具体的には、送信部１１３は、通信ネットワーク４０を介して、課金情報を広告主端末２００に送信する。
【００７４】
また、送信部１１３は、広告情報ＤＢ作成部１１５により作成される登録情報を携帯端末１０、３０等に送信する。
【００７５】
（３．８）広告情報ＤＢ作成部１１５
広告情報ＤＢ作成部１１５は、広告情報登録ＤＢ１０５に基づいて、携帯端末１０に送信する登録情報を作成する。具体的には、広告情報ＤＢ作成部１１５は、広告情報登録ＤＢ１０５に基づいて、少なくとも広告情報６０、入力ワード６５が含まれる登録情報を作成する。登録情報には、広告情報６０、入力ワード６５に加えて、表示順位６７等が含まれていてもよい。
【００７６】
（４）情報処理システム１の動作
情報処理システム１の動作について、（４．１）全体概略動作、（４．２）メールの作成動作、（４．３）課金動作、（４．４）広告情報の更新動作の順に説明する。以下の情報処理システム１の動作については、情報処理装置１００が、携帯端末１０により作成されたメール３００を受信し、携帯端末３０にメール４００を送信する動作を例示して具体的な説明をする。
【００７７】
（４．１）全体概略動作
図９は、本実施形態に係る情報処理システム１の全体概略動作を示すシーケンスである。具体的には、図９は、メールの送受信動作を示すシーケンスである。
【００７８】
ステップＳ１００において、携帯端末１０は、メール３００を作成する。
【００７９】
ステップＳ１１０において、携帯端末１０の送信部２１は、通信ネットワーク４０を介して、メール３００を情報処理装置１００の受信部１０１に送信する。
【００８０】
ステップＳ１２０において、情報処理装置１００のカウント部１０３は、文書情報に含まれる広告情報６０を数える。具体的には、カウント部１０３は、メール３００に含まれる広告情報６０をカウントする。
【００８１】
ステップＳ１３０において、情報処理装置１００のメール作成部１０９は、受信部１０１が受信したメール３００に基づいて、メール４００を作成する。具体的には、メール作成部１０９は、メール３００に含まれる広告情報６０に基づいて、広告情報登録ＤＢ１０５から広告情報６０に対応するＵＲＬを含むメール４００を作成する。
【００８２】
ステップＳ１４０において、情報処理装置１００の送信部１１３は、広告情報６０を含む文書情報を携帯端末１０と異なる他の携帯端末に送信する。具体的には、送信部１１３は、広告情報６０を含むメール４００を携帯端末１０と異なる携帯端末３０に送信する。
【００８３】
（４．２）メールの作成動作
図１０は、本実施形態に係る携帯端末１０によるメール３００の作成動作を示すフローチャートである。具体的には、図１０は、図９のメールの作成動作の詳細を示すフローチャートである。
【００８４】
ステップＳ１１において、受付部１１は、ユーザのキー操作に対応するキー入力情報を受信する。
【００８５】
ステップＳ１３において、変換部１３は、受付部１１により取得されたキー入力情報に基づいた広告情報６０の有無を確認する。具体的には、変換部１３は、広告情報ＤＢ１５から、キー入力情報に対応する入力ワード６５を抽出した場合、対応する広告情報６０を変換候補５０として抽出し、処理をステップ１５へ進める。また、変換部１３は、広告情報ＤＢ１５から、キー入力情報に対応する入力ワード６５を抽出できなかった場合、対応する広告情報６０無し、と判定して、処理をステップ１７へ進める。
【００８６】
ステップＳ１５において、表示部１９は、広告情報６０を変換部１３により変換された変換候補５０として表示する。
【００８７】
ステップＳ１７において、変換部１３は、予測変換辞書記憶部１７から、受付部１１により取得されたキー入力情報に対応する単語７０を変換候補５０として抽出する。
【００８８】
ステップＳ１９において、表示部１９は、予測変換辞書記憶部１７から、ユーザに入力された文字に対応する単語７０を変換候補５０として表示する。
【００８９】
ステップＳ２１において、変換部１３は、ユーザの要求に基づいて、変換候補５０が確定したか否かを確認する。具体的には、変換部１３は、ユーザの要求により、変換候補５０が確定した場合、処理を終了する。また、変換部１３は、ユーザの要求により変換候補５０が確定しない場合、あるいは、所定時間以上、ユーザの要求による変換候補５０が確定しない場合、処理をステップＳ２３へ進める。
【００９０】
ステップＳ２３において、変換部１３は、受付部１１による新たなキー入力情報を確認し、処理をステップＳ１３へ戻す。
【００９１】
（４．３）課金動作
情報処理装置１００の課金部１１１は、カウント部１０３のカウント結果に基づいて、広告主の課金情報を作成する。具体的には、課金部１１１は、課金ＤＢ１０７の広告情報６０と、広告情報６０に対応する使用頻度とにより構成される課金情報を作成する。
【００９２】
次に、情報処理装置１００の送信部１１３は、広告主端末２００に、課金情報を送信する。広告主は、広告主端末２００で課金情報を受信後、課金情報に基づいて、支払いを行う。
【００９３】
（４．４）広告情報の更新動作
図１１は、実施形態に係る情報処理装置１００の広告情報６０の更新動作を示すシーケンス図である。
【００９４】
図１１に示すように、ステップＳ２００において、広告主端末２００は、情報処理システム１に対する広告情報６０のリクエスト要求を情報処理装置１００に送信する。
【００９５】
ステップＳ２１０において、情報処理装置１００は、広告主端末２００からのリクエスト要求を受信し、広告情報６０の登録用ウェブページを広告主端末２００に送信する。
【００９６】
ステップＳ２２０において、広告主端末２００は、情報処理装置１００から受信した登録用ウェブページに、入力ワード６５、広告情報６０、入札価格等を入力する。
【００９７】
ステップＳ２３０において、広告主端末２００は、入力ワード６５、広告情報６０、入札価格等を入力した登録用ウェブページを情報処理装置１００に送信する。
【００９８】
ステップＳ２４０において、情報処理装置１００は、広告主端末２００から受信した登録用ウェブページに基づいて、入力ワード６５、広告情報６０、入札価格等を広告情報登録ＤＢ１０５に記録する。
【００９９】
また、情報処理装置１００は、１つの入力ワード６５に対して複数の広告情報６０が、広告情報登録ＤＢ１０５に記録されている場合、入札価格等に基づいて、表示順位６７を決定する。
【０１００】
ステップＳ２５０において、情報処理装置１００は、広告情報６０が広告情報登録ＤＢ１０５に記録された旨を通知する完了通知を広告主端末２００に送信する。
【０１０１】
ステップＳ２６０において、情報処理装置１００は、新たに更新された広告情報６０に関する情報を携帯端末１０、携帯端末３０等の携帯端末に送信する。
【０１０２】
ステップＳ２７０において、携帯端末１０、携帯端末３０は、情報処理装置１００から受信した広告情報６０に関する情報を広告情報ＤＢ１５に記録することにより、広告情報ＤＢ１５の情報を更新する。
【０１０３】
（５）作用・効果
以上説明したように、本実施形態によれば、携帯端末１０は、広告主に指定された文字とそれに対応する広告情報６０とを記憶する広告情報記憶手段と、ユーザに入力された文字に対応する広告情報６０を変換候補として表示する表示手段とを備えるため、ユーザが単語を入力する際に、ユーザの入力に応じて、広告情報６０を変換候補として表示する。すなわち、ユーザは、単語を入力する際に必ず広告情報６０を見るため、訴求効果を向上できる。また、ユーザにより作成された単語を含む文書情報（メール等）が、他の携帯端末に送信された場合、文書情報を受信した他の携帯端末のユーザは、受信した文書情報を見ることで、広告情報６０を見ることとなる。すなわち、文書情報を受信した他の携帯端末のユーザは、広告情報６０を意識することなく、文書情報を受信するのみで、広告情報６０を見ることとなる。
【０１０４】
従って、訴求効果を向上しつつ、広告を配信するために余計な情報の配信を抑制できる携帯端末１０を提供することができる。
【０１０５】
実施形態では、広告情報６０は、広告主に関連した画像情報６１を含む。すなわち、画像情報６１を含む広告情報６０は、ユーザの目に留まりやすくなるため、広告情報６０の訴求効果を更に向上できる。
【０１０６】
実施形態では、表示部１９は、予測変換辞書記憶部１７から、ユーザに入力された文字に対応する単語７０を変換候補５０として表示するとともに、広告情報６０を、単語７０よりも上位で表示する。すなわち、広告情報６０は、単語７０よりもユーザの目に留まりやすくなるため、広告情報６０の訴求効果を更に向上できる。
【０１０７】
実施形態では、表示部１９は、１つの入力ワード６５に対して複数の広告情報６０が、対応する場合、広告主の入札価格の順番に基づいて、広告情報６０を表示する。広告情報６０は、他の広告情報よりも先、或いは上位に表示されることにより、ユーザの目に留まりやすくなる。
【０１０８】
すなわち、広告主は、入札価格を高くすることにより、広告情報６０を他の広告情報よりも先、或いは上位に表示することで、訴求効果を更に向上できる。従って、表示部１９が、１つの入力ワード６５に対して複数の広告情報６０が、対応する場合、広告主の入札価格の順番に基づいて、広告情報６０を表示することで、広告主の購買意欲を促進し、入札価格を高くしようとする意欲を更に向上できる。
【０１０９】
実施形態では、情報処理システム１が、情報処理装置１００と、携帯端末１０とを有し、携帯端末１０が、広告情報６０を含むメール３００を情報処理装置１００に送信する送信部２１を更に備える。また、情報処理装置１００が、メール３００を携帯端末１０から受信する受信部１０１と、メール３００に含まれる広告情報６０を数えるカウント部１０３と、カウント部１０３のカウント結果に基づいて、広告主の課金情報を作成する課金部１１１とを備える。
【０１１０】
このため、情報処理装置１００は、携帯端末１０から送信されるメール３００に含まれる広告情報６０を数えることで、情報処理システム１で取り扱われる広告情報６０の数を把握する事ができる。また、情報処理装置１００は、課金部１１１により、課金情報を作成できるため、広告情報６０の取り扱い数に応じた課金を広告主に請求する事ができる。
【０１１１】
実施形態では、情報処理装置１００が、メール４００を携帯端末１０と異なる他の携帯端末である携帯端末３０に送信する送信部１１３を更に備える。また、携帯端末３０が、情報処理装置１００からメール４００を受信する受信部２３と、メール４００に含まれる広告情報６０を広告主のサイト情報とともに表示する広告表示部２５と、を備える。
【０１１２】
このため、メール４００を受信した携帯端末３０のユーザは、メール４００に含まれる広告情報６０を広告主のサイト情報とともに見ることができる。すなわち、広告情報６０は、ユーザの目に留まりやすくなる。また、ユーザは、広告主のサイトに容易にアクセスできるため、広告情報６０の訴求効果を更に向上できる。
【０１１３】
（６）その他の実施形態
上述した実施形態では、広告情報６０を含む文書情報として、広告情報６０を含むメール３００を例示している。本発明は、これに限らず、広告情報６０は、メール３００に添付される文書情報に含まれていてもよい。例えば、携帯で作成される写真等の画像情報に文書情報の加工をし、写真に装飾を施す文書情報として、広告情報６０を含んでもよい。
【０１１４】
上述した実施形態では、変換部は、ユーザのキー入力情報に基づいて、ユーザの入力を予測した変換候補５０を作成している。本発明は、これに限らず、ユーザのキー入力情報を変換するかな漢字変換機能を備えていてもよい。
【０１１５】
実施形態では、入力ワード６５は、1文字だけに限定されることなく、２文字以上からなる文字列により構成されている。本発明は、これに限らず、入力ワード６５は、意味を成す単語のみに設定され、広告主に販売されてもよい。これによれば、文字が１文字である場合に比べて、表示部１９により、入力ワード６５に基づいて、広告情報６０が、過度に表示されることが抑制される。また、ユーザにより入力された入力ワード６５と、広告情報６０とがより具体的な概念で関連付けられるため、広告効果が向上する場合がある。
【０１１６】
実施形態では、受付部１１は、ユーザのキー操作に対応するキー入力情報を受信する。本発明は、これに限られず、例えば、受付部１１は、ユーザの声による音声入力情報を受信し、変換部１３が、音声入力情報に基づいて、変換候補５０を作成してもよい。
【０１１７】
上述した実施形態では、携帯端末１０および情報処理装置１００が備える各ブロックについて記載しているが、本発明これに限られず、例えば、上記の各ブロックの機能を実行するコンピュータプログラムとしてもよく、また、このコンピュータプログラムを配信する情報処理装置であってもよい。
【０１１８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【０１１９】
例えば、各構成図、フローチャート、概念図の図などは例示に過ぎず、各要素の有無、その順序や具体的内容などは適宜変更可能である。一例として、手動によるブロックの指定は必須ではなく、また、本発明において、各手段などの要素は、コンピュータの演算制御部に限らず、ワイヤードロジック等に基づく電子回路で実現してもよい。
【符号の説明】
【０１２０】
１  情報処理システム
１０  携帯端末
１１  受付部
１３  変換部
１５  広告情報ＤＢ
１７  予測変換辞書記憶部
１９  表示部
１９ａ  作成メール表示領域
１９ｂ  変換表示領域
２１  送信部
２３  受信部
２５  広告表示部
２５ａ  受信メール表示領域
３０  携帯端末
４０  通信ネットワーク
５０  変換候補
６０  広告情報
６０ａ  広告情報
６１  画像情報
６３  文字情報
６５  入力ワード
６７  表示順位
６９  広告識別情報
７０  単語
１００  情報処理装置
１０１  受信部
１０３  カウント部
１０５  広告情報登録ＤＢ
１０７  課金ＤＢ
１０９  メール作成部
１１１  課金部
１１３  送信部
１１５  作成部
２００  広告主端末
３００  メール
４００  メール
【図１】
2011210002.tif 000003
【図２】
2011210002.tif 000004
【図３】
2011210002.tif 000005
【図４】
2011210002.tif 000006
【図５】
2011210002.tif 000007
【図６】
2011210002.tif 000008
【図７】
2011210002.tif 000009
【図８】
2011210002.tif 000010
【図９】
2011210002.tif 000011
【図１０】
2011210002.tif 000012
【図１１】
2011210002.tif 000013